(57)【要約】【課題】顧客に対する印字情報の視認性を妨げることなく、レシートの印字操作を行う操作者に対して、ロール状用紙の残量が少ないことを報知する。【解決手段】プラテンローラ（搬送手段）がロール紙（ロール状用紙）の先端を上流側から下流側に搬送しながら、サーマルヘッド（印字手段）が、プラテンローラによって搬送されたロール紙に印字を行う。そして、紫外線ＬＥＤ（光照射手段）が、ロール紙の残量が所定量以下であることを示す、蓄光材を含むインク（媒体）で形成された残量マーカ（マーカ）に光（紫外線）を照射して、レシート発行口（排紙手段）からレシートとして排紙する。【選択図】図６
2019077963.tif 000002
【特許請求の範囲】
【請求項１】
長尺の用紙がロール状に巻回されたロール状用紙であって、
前記ロール状用紙の終端から、当該終端に至る所定の長さの領域に、蓄光材を含む媒体で形成されたマーカを有する、
ことを特徴とするロール状用紙。
【請求項２】
前記マーカは、前記ロール状用紙の終端からの距離に応じて、濃度の異なる前記蓄光材で形成される、
ことを特徴とする請求項１に記載のロール状用紙。
【請求項３】
請求項１または請求項２に記載のロール状用紙の先端を、上流側から下流側に搬送する搬送手段と、
前記搬送手段によって搬送された前記ロール状用紙に印字を行う印字手段と、
前記ロール状用紙が有する、蓄光材を含む媒体で形成されたマーカに光を照射する光照射手段と、
前記印字手段によって印字されて、前記光照射手段によって光を照射された前記ロール状用紙を排紙する排紙手段と、を備える、
ことを特徴とする印字装置。
【請求項４】
前記光照射手段は、前記蓄光材の残光時間が所定時間以内となるように、前記マーカに照射する光量を調整する、
ことを特徴とする請求項３に記載の印字装置。
【請求項５】
前記排紙手段は、前記ロール状用紙の前記マーカが形成された面が、前記印字装置の操作者の側を向くように排紙する、
ことを特徴とする請求項３または請求項４に記載の印字装置。
【請求項６】
前記光照射手段は、当該光照射手段に流れる電流を一定に保つことによって、前記光照射手段が照射する光量を一定に保つ光量調整手段を更に備える、
ことを特徴とする請求項３から請求項５のいずれか１項に記載の印字装置。
【発明の詳細な説明】
【技術分野】
【０００１】
本発明の実施の形態は、ロール状用紙および印字装置に関する。
【背景技術】
【０００２】
従来、ロール状用紙は、例えばＰＯＳ端末において、レシートを印字する際に使用されている。このようなロール状用紙では、用紙切れにならないように、ロール状用紙の終端に至る前に、用紙の残量が少なくなっていることを、操作者に告知するのが望ましい。そのために、ロール状用紙に、用紙の残量を示すマーカを印刷した例が知られている（例えば、特許文献１）。
【０００３】
しかしながら、このようなロール状用紙にあっては、レシートを受け取った顧客が、レシートに印字される情報、すなわち購入した商品の商品情報とは無関係のマーカを目にするため、目障りであるという問題があった。
【発明の概要】
【発明が解決しようとする課題】
【０００４】
本発明が解決しようとする課題は、顧客に対する印字情報の視認性を妨げることなく、レシートの印字操作を行う操作者に対して、ロール状用紙の残量が少ないことを報知することができるロール状用紙および印字装置を提供することである。
【課題を解決するための手段】
【０００５】
実施の形態のロール状用紙は、長尺の用紙がロール状に巻回されたロール状用紙であって、ロール状用紙の終端から、当該終端に至る所定の長さの領域に、蓄光材を含む媒体で形成されたマーカを有することを特徴とする。
【０００６】
また、実施の形態の印字装置は、搬送手段と、印字手段と、光照射手段と、排紙手段とを備える。搬送手段は、ロール状に巻回されて、終端に至る所定の長さの領域に、蓄光材を含む媒体で形成されたマーカを有するロール状用紙を、上流側から下流側に搬送する。印字手段は、搬送手段によって搬送されたロール状用紙に印字を行う。光照射手段は、ロール状用紙が有するマーカに光を照射する。排紙手段は、印字手段によって印字されて、光照射手段によって光を照射されたロール状用紙を排紙する。
【図面の簡単な説明】
【０００７】
【図１】図１は、第１の実施の形態の決済装置の一例を示す外観図である。
【図２】図２は、決済装置のハードウェア構成の一例を示すハードウェアブロック図である。
【図３】図３は、レシートプリンタの上部ケースを開放した状態を示す斜視図である。
【図４】図４は、レシートプリンタの内部構造の一例を示す断面図である。
【図５】図５は、レシートプリンタのハードウェア構成の一例を示すハードウェアブロック図である。
【図６】図６は、レシートプリンタの機能構成の一例を示す機能ブロック図である。
【図７】図７は、残量マーカを備えたロール紙の構造の一例を示す図である。
【図８】図８は、残量マーカの別の形態の例を示す図である。
【図９】図９は、レシートプリンタが、レシートを印字して発行する際に行う処理の流れの一例を示すフローチャートである。
【図１０】図１０は、紫外線ＬＥＤの点灯制御の流れの一例を示すフローチャートである。
【図１１】図１１は、ロール紙の残量を示す残量マーカの一例を示す図である。
【図１２】図１２は、第２の実施の形態のレシートプリンタのハードウェア構成の一例を示すハードウェアブロック図である。
【図１３】図１３は、第２の実施の形態のレシートプリンタの機能構成の一例を示す機能ブロック図である。
【図１４】図１４は、第２の実施の形態において、レシートプリンタが残量マーカを検出する方法について説明する第１の図であり、残量マーカを検出していない状態を示す図である。
【図１５】図１５は、第２の実施の形態において、レシートプリンタが残量マーカを検出する方法について説明する第２の図であり、残量マーカを検出している状態を示す図である。
【図１６】図１６は、第２の実施の形態のレシートプリンタが、レシートを印字して発行する際に行う処理の流れの一例を示すフローチャートである。
【発明を実施するための形態】
【０００８】
（第１の実施の形態）
本実施の形態は、本発明を、顧客が購入した商品の登録および決済を行う決済装置に適用した例である。
【０００９】
（決済装置の概略構成の説明）
まず、図１を用いて、決済装置の概略構成について説明する。図１は、決済装置２の一例を示す外観図である。決済装置２は、図１に示すように、ＰＯＳ端末１０と、レシートプリンタ２０とを備える。
【００１０】
ＰＯＳ端末１０は、顧客が購入する商品の商品情報（商品コード、数量、価格等）を登録する端末である。ＰＯＳ端末１０は、図１に示すように、キーボード１１と、ともに液晶表示器で構成されたキャッシャ用表示部１２と客用表示部１３と、スキャナ１５とを備える。キーボード１１は、テンキー、部門キー、小計キー、預／現計キー、領収書発行キー、精算キー、免税宣言キー、品名リスト出力キー等を有する。キャッシャ用表示部１２と客用表示部１３は、それぞれタッチパネルの機能を備えて、簡単な情報入力はタッチ操作で行えるようにしてもよい。スキャナ１５は、顧客が購入する商品に付された、例えばバーコードに含まれる商品情報を読み取って、ＣＰＵ（Central  Processing  Unit）４（図２参照）に送信する。
【００１１】
レシートプリンタ２０は、ＰＯＳ端末１０と、例えばＵＳＢ（Universal  Serial  Bus）ケーブル５０で接続されている。レシートプリンタ２０は、ＰＯＳ端末１０から送信される売上情報を受信して、当該売上情報を長尺状のロール紙４０（図４参照）に印字する。また、レシートプリンタ２０は、ロール紙４０に売上情報を印字してレシート発行口２２からレシート４２として排紙する。なお、レシートプリンタ２０は、印字装置の一例である。また、ロール紙４０はロール状用紙の一例である。売上情報は、登録処理された商品情報を含む情報である。本実施の形態では、レシートプリンタ２０とＰＯＳ端末１０とは別体型であるとして説明するが、ＰＯＳ端末１０とレシートプリンタ２０とが一体型になった構成であってもよい。
【００１２】
顧客は、購入する商品をカゴに詰めてレジに向かう。そして、レジにおいて、ＰＯＳ端末１０の操作者であるキャッシャは、カゴから商品を取り出して、各商品の商品情報の登録を行う。具体的には、スキャナ１５によって、商品に付されたバーコード等のコードシンボルに登録されたコード情報を読み取る。そして、ＰＯＳ端末１０は、読み取ったコード情報を商品マスタＭ（図２参照）と照合して、顧客が購入する商品の商品情報を特定する。続いて、ＰＯＳ端末１０は、読み取った商品情報に基づいて、商品の登録処理および決済処理を行う。
【００１３】
（決済装置のハードウェア構成の説明）
次に、決済装置２のハードウェア構成について、図２を用いて説明する。図２は、決済装置２のハードウェア構成の一例を示すハードウェアブロック図である。
【００１４】
決済装置２は、図２に示すように、制御部３と、メモリ部７とを備える。制御部３は、決済装置２の全体の動作を制御し、決済装置２が有する各種の機能を実現するコンピュータである。制御部３は、ＣＰＵ（Central  Processing  Unit）４と、ＲＯＭ（Read  Only  Memory）５と、ＲＡＭ（Random  Access  Memory）６とを備える。ＣＰＵ４は、決済装置２の動作を統括的に制御する。ＲＯＭ５は、各種プログラムやデータを記憶する記憶媒体である。ＲＡＭ６は、各種プログラムを一時的に記憶したり、各種データを書き換えたりする記憶媒体である。そして、ＣＰＵ４は、ＲＡＭ６をワークエリアとして、メモリ部７等に格納された制御プログラムＰ１を実行する。すなわち、制御部３は、一般的なコンピュータの構成を有する。
【００１５】
メモリ部７は、ＨＤＤ（Hard  Disk  Drive）やＳＳＤ（Solid  State  Drive）等の記憶装置である。メモリ部７は、制御部３と内部バス８を介して接続している。メモリ部７は、制御プログラムＰ１と商品マスタＭ等を記憶する。制御プログラムＰ１は、オペレーティングシステムや、ＰＯＳ端末１０が備えている機能を発揮させるためのプログラムである。制御プログラムＰ１には、本実施の形態に係る特徴的な機能を実現させるプログラムが含まれる。また、メモリ部７は、ＰＯＳ端末１０を管理する店舗サーバ（不図示）から提供される商品マスタＭを記憶する。商品マスタＭは、店舗で販売する商品毎に、当該商品を識別可能な商品コードと、商品名と、商品単価とを互いに関連付けたマスタファイルである。
【００１６】
制御部３は、内部バス８を介して、コントローラ９と接続している。そして、コントローラ９には、キーボード１１と、キャッシャ用表示部１２と客用表示部１３と、スキャナ１５とがそれぞれ接続される。また、コントローラ９は、ＵＳＢケーブル５０を介して、レシートプリンタ２０と接続される。
【００１７】
（レシートプリンタの内部構造の説明）
次に、レシートプリンタ２０の内部構造について、図３，図４を用いて説明する。図３は、レシートプリンタ２０の上部ケース５２を開放した状態を示す斜視図である。また、図４は、レシートプリンタ２０の内部構造の一例を示す断面図（ＹＺ断面図）である。レシートプリンタ２０は、図３に示すように、内部にサーマルヘッド２３と、プラテンローラ２４と、紫外線ＬＥＤ（Light  Emitting  Diode）２６と、カッタ２８と、収容部５５と、バンパー５６を備えている。各部の機能については後述する。なお、以後の説明のため、図３に示すように、レシートプリンタ２０の左右方向をＸ軸、奥行方向をＹ軸、上下方向をＺ軸とするＸＹＺ座標系を設定する。
【００１８】
収容部５５は、ロール状に巻回されたロール紙４０（図４参照）を収容する。ロール紙４０は、感熱紙をロール状に巻回したものである。ロール紙４０に印字する際には、図４に示すように、ロール紙４０の先端４０ｂを、プラテンローラ２４の回転によって引っ張ることによって、ロール紙４０をロールから引き出す。
【００１９】
本実施の形態のレシートプリンタ２０は、ロール紙４０を収容する際に、図３に示すように、上部ケース５２を開いて、ロール紙４０を収容部５５に投入する、いわゆるドロップイン方式を採用している。下部ケース５４は、上面側が開放された直方体状のケースであり、下部ケース５４の上面側は、上部ケース５２により閉じられる。下部ケース５４には、レシートプリンタ２０とＰＯＳ端末１０（図１参照）との接続に使われる接続端子（不図示）や、レシートプリンタ２０に電源を供給する電源端子（不図示）等が設けられる。なお、レシートプリンタ２０は、ドロップイン方式に限定されるものではなく、ロール紙４０を用紙ホルダにセットして装填する方式であってもよい。
【００２０】
上部ケース５２は、背面側（Ｙ軸正側）の辺が、下部ケース５４に回動自在に取り付けられていて、上部ケース５２の回動に伴って、下部ケース５４の上面側を開閉する。上部ケース５２の前面端（Ｙ軸負側）下部と、下部ケース５４の前面端（Ｙ軸負側）上部との間には、印字が行われたロール紙４０をレシート４２（図４参照）として排紙するレシート発行口２２が設けられている。なお、レシート発行口２２は排紙手段の一例である。
【００２１】
図４において、ロール紙４０は、バンパー５６の先端部５７にガイドされて、先端４０ｂ側から搬送方向Ｐが示す方向に引き出される。バンパー５６の先端部５７は、Ｙ軸方向に亘って曲面形状を有している。したがって、ロール紙４０は、バンパー５６の先端部５７において、搬送方向が徐々に変えられる。そのため、ロール紙４０は皺や傷を生じることなく、円滑に引き出されて搬送される。
【００２２】
なお、図４において、バンパー５６の末端側は、Ｘ軸に沿う軸部５８によって軸支されて、Ｘ軸周りに回動自在に設置されている。バンパー５６の表面は、ロール紙４０の外周面に、略密着した状態で接している。そして、バンパー５６は、ロール紙４０が引き出されて搬送される方向（Ｙ軸負方向）とは反対方向、すなわちロール紙４０の巻回中心４４に向かう方向（Ｙ軸正方向）に付勢されている。そのため、ロール状のロール紙４０は、ロール紙４０が引き出された際に、収容部５５の内部でがたつくことがない。
【００２３】
サーマルヘッド２３は、印字手段の一例であり、上部ケース５２の内側に固定されている。サーマルヘッド２３は、上部ケース５２が閉じた状態で、下部ケース５４に備えられた、搬送手段の一例であるプラテンローラ２４と密着する。そして、サーマルヘッド２３は、プラテンローラ２４との間を通過するロール紙４０に対して、印字情報に応じた熱を加えることによって印字を行う。なお、印字情報は、レシートプリンタ２０が、ＰＯＳ端末１０からＵＳＢインタフェース２７（図５参照）を介して受信する。
【００２４】
プラテンローラ２４は、不図示のステッピングモータの駆動力が伝達されることにより回転して、サーマルヘッド２３との間で挟持したロール紙４０を、上流側である収容部５５から、下流側であるレシート発行口２２に向けて、搬送方向Ｐに搬送する。
【００２５】
サーマルヘッド２３の下流側には、Ｘ軸に沿って複数の紫外線ＬＥＤ２６が設置されている。紫外線ＬＥＤ２６は、光照射手段の一例である。紫外線ＬＥＤ２６は、紫外線を含む波長の光を、印字後のロール紙４０（レシート４２）の残量マーカ７０（図７参照）が形成された側の面である表面Ｓに照射する。なお、表面Ｓは、レシート発行口２２から排紙されたレシート４２のうち、キャッシャの側を向く面である。本実施の形態の場合、サーマルヘッド２３が当接する印字面と表面Ｓとは同じ面である。なお、設置する紫外線ＬＥＤ２６の個数と設置位置は、紫外線ＬＥＤ２６から照射された光が、後述する残量マーカ７０に漏れなく当たるように決定される。
【００２６】
カッタ２８は、印字後のロール紙４０を切断する。切断されたロール紙４０は、レシート４２としてレシート発行口２２から排紙される。
【００２７】
なお、ロール紙４０の表面Ｓには、ロール紙４０の残量が所定量以下であることを示す残量マーカ７０（図７参照）が形成されている。残量マーカ７０は、例えば、蓄光材を含むインクを塗布することによって形成する。この残量マーカは、紫外線ＬＥＤ２６から出射した光が照射された後で、所定の時間に亘って可視光を放射（発光）する。所定の時間とは、蓄光材の中の励起された分子が基底状態に戻るまでの時間である。なお、残量マーカ７０の特性について、詳しくは後述する。
【００２８】
（レシートプリンタのハードウェア構成の説明）
次に、レシートプリンタ２０のハードウェア構成について、図５を用いて説明する。図５は、レシートプリンタ２０のハードウェア構成の一例を示すハードウェアブロック図である。
【００２９】
レシートプリンタ２０は、図５に示すように、制御部３０と、メモリ部３４とを備える。制御部３０は、レシートプリンタ２０の全体の動作を制御し、レシートプリンタ２０が有する各種の機能を実現するコンピュータである。制御部３０は、ＣＰＵ３１と、ＲＯＭ３２と、ＲＡＭ３３とを備える。ＣＰＵ３１は、レシートプリンタ２０の動作を統括的に制御する。ＲＯＭ３２は、各種プログラムやデータを記憶する記憶媒体である。ＲＡＭ３３は、各種プログラムを一時的に記憶したり、各種データを書き換えたりする記憶媒体である。そして、ＣＰＵ３１は、ＲＡＭ３３をワークエリアとして、メモリ部３４に格納された制御プログラムＰ２を実行する。すなわち、制御部３０は、一般的なコンピュータの構成を有する。
【００３０】
メモリ部３４は、ＨＤＤ（Hard  Disk  Drive）やＳＳＤ（Solid  State  Drive）等の記憶装置である。メモリ部３４は、制御プログラムＰ２等を記憶する。制御プログラムＰ２は、レシートプリンタ２０が備えている機能を発揮させるためのプログラムである。制御プログラムＰ２には、本実施の形態に係る特徴的な機能を実現させるプログラムが含まれる。
【００３１】
制御部３０は、内部バス３５を介して、コントローラ３６と接続している。そして、コントローラ３６には、前記したサーマルヘッド２３と、プラテンローラ２４とが接続される。さらに、コントローラ３６には、ＬＥＤドライバ２５を介して紫外線ＬＥＤ２６が接続される。
【００３２】
ＬＥＤドライバ２５は、紫外線ＬＥＤ２６の点灯、消灯のタイミングを制御する。なお、ＬＥＤドライバ２５は、光量調整手段の一例である。
【００３３】
また、コントローラ３６は、ＵＳＢインタフェース２７とＵＳＢケーブル５０とを介して、ＰＯＳ端末１０と接続される。なお、図５には図示しないが、コントローラ３６には、さらに、レシートプリンタ２０の上部ケース５２が開いた状態にあることを検出するセンサ（例えば通電センサ）が接続されている。
【００３４】
（レシートプリンタの機能構成の説明）
次に、図６を用いて、レシートプリンタ２０が備える特徴的な機能構成について説明する。図６は、レシートプリンタ２０の機能構成の一例を示す機能ブロック図である。
【００３５】
レシートプリンタ２０の制御部３０は、メモリ部３４が記憶している制御プログラムＰ２をＲＡＭ３３に展開し、制御プログラムＰ２に従って動作することで、図６に示す各機能部を、ＲＡＭ３３上に生成する。具体的には、制御部３０は、受信部６０と、搬送制御部６２と、印字制御部６４と、紫外線ＬＥＤ点灯制御部６６と、開閉検出部６８とを機能部として実現する。
【００３６】
受信部６０は、ＰＯＳ端末１０から印字情報を受信する。
【００３７】
搬送制御部６２は、プラテンローラ２４の回転状態を制御することによって、ロール紙４０を、先端４０ｂ側からレシート発行口２２に向けて搬送する。
【００３８】
印字制御部６４は、サーマルヘッド２３を制御することによって、印字情報をロール紙４０に印字する。
【００３９】
紫外線ＬＥＤ点灯制御部６６は、ＬＥＤドライバ２５を制御することによって、紫外線ＬＥＤ２６の点灯状態を制御する。具体的には、紫外線ＬＥＤ点灯制御部６６は、ロール紙４０の表面Ｓに塗布された蓄光材の残光時間が所定時間以内となるように、照射する紫外線ＬＥＤ２６の光量を制御する。なお、蓄光材の残光時間は、塗布された蓄光材の量と、紫外線ＬＥＤ２６の分光特性と、照射する紫外線ＬＥＤ２６の光量とに依存するため、予め実験等を行って、紫外線ＬＥＤ２６の駆動条件を決定しておく。
【００４０】
紫外線ＬＥＤ２６の光量は、例えば、紫外線ＬＥＤ２６に印加する電圧値を変化させることによって制御する。電圧値は、蓄光材の塗布範囲の長さＬ（図７参照）の領域が、ロール紙４０の搬送速度（プラテンローラ２４の回転速度）で紫外線ＬＥＤ２６の照射範囲を移動するという条件に基づいて、蓄光材の残光時間が所定時間以内になるように設定される。蓄光材の残光時間は、例えば、排紙されたレシート４２が顧客の手に渡るまでの時間以内（例えば数十秒以内）となるように設定する。決定した紫外線ＬＥＤ２６の駆動条件（例えば紫外線ＬＥＤ２６に印加する電圧値）は、前記したメモリ部３４（図５参照）に格納される。そして、紫外線ＬＥＤ点灯制御部６６は、メモリ部３４から紫外線ＬＥＤ２６の駆動条件を読み出して、ＬＥＤドライバ２５を制御することによって紫外線ＬＥＤ２６を駆動する。
【００４１】
また、紫外線ＬＥＤ点灯制御部６６は、紫外線ＬＥＤ２６が照射する光量を一定に保つ制御を行う。一般に、紫外線ＬＥＤ２６を長時間使用すると、経年劣化によって徐々に暗くなる。その際、紫外線ＬＥＤ２６に流れる電流が減少するため、紫外線ＬＥＤ点灯制御部６６は、ＬＥＤドライバ２５を制御することによって、紫外線ＬＥＤ２６に流れる電流を一定に保つように電流値を制御する。これによって、紫外線ＬＥＤ２６は、常に一定の光量を照射する。
【００４２】
開閉検出部６８は、上部ケース５２の開閉状態を検出する。そして、開閉検出部６８が、上部ケース５２が開いていることを検出した際に、紫外線ＬＥＤ点灯制御部６６は、紫外線ＬＥＤ２６の照射を止める等の制御を行う。また、搬送制御部６２は、プラテンローラ２４の回転を止める等の制御を行う。さらに、印字制御部６４は、サーマルヘッド２３による印字を止める等の制御を行う。これによって、上部ケース５２を開いた際に、予期しない発光部の直視や、回転部や高温部への身体の接触を防止するとともに、不要な消費電力の低減を図ることができる。
【００４３】
（ロール紙の構造の説明）
次に、図７を用いて、ロール紙４０の構造について説明する。図７は、残量マーカ７０を備えたロール紙４０の構造の一例を示す図である。
【００４４】
図７に示すように、先端４０ｂ側から引き出されて、レシート発行口２２（図４参照）から排紙されるロール紙４０には、レシートプリンタ２０の操作を行うキャッシャの側を向く面である表面Ｓに、残量マーカ７０が印刷されている。残量マーカ７０は、マーカの一例であり、ロール紙４０の残量が所定量以下であることを示す。図７の例では、残量マーカ７０は、ロール紙４０の巻回中心４４（図４参照）側の端部である終端４０ａから所定の長さＬの領域に、ロール紙４０の略中央部に幅Ｗの実線で形成されている。所定の長さＬは、ロール紙４０の残量に対応する量であり、残量マーカ７０に気付いたキャッシャが、補充用のロール紙４０を準備する余裕を見越した長さに設定される。また、幅Ｗは、残量マーカ７０が発光していることを視認できる寸法に設定される。
【００４５】
本実施の形態にあっては、残量マーカ７０は、蓄光材を含むインクを塗布することによって形成する。蓄光材を含むインクは、例えば乳白色を呈し、ロール紙４０とほぼ同色であるため、蓄光材が発光していない状態では、蓄光材が塗布されていることが視認しにくい。蓄光材は、紫外線を含む光を照射した後、当該紫外線の照射を止めても、所定の時間に亘って、自ら発光して可視光を放射する性質を持つ物質である。例えば、アルミン酸ストロンチウム（ＳｒＡｌ２Ｏ４）等が代表的な蓄光材である。なお、残量マーカ７０の視認性向上のために、蓄光材の発光色は、例えば赤色等の有色とすることが望ましい。なお、残量マーカ７０を複数の層で形成して、紫外線ＬＥＤ２６が放射した光を受けて前記したのと同様の波長で残光を発する層と、蓄光性がなく、残光を発する層が放射した光によって可視光を発光する層とで構成してもよい。さらに、紫外線ＬＥＤ２６の代わりに赤外線ＬＥＤを設けて、残量マーカ７０は、赤外線ＬＥＤが放射した光に反応して残光を発するものとしてもよい。
【００４６】
なお、残量マーカ７０は、ロール紙４０の表面Ｓに、蓄光材を含む媒体を例えば塗布することによって形成すればよい。あるいは、残量マーカ７０は、蓄光材を含む透明なシート状部材をロール紙４０の表面Ｓに貼付することによって形成してもよい。
【００４７】
蓄光材に紫外線が照射されると、蓄光材の中の分子が励起される。蓄光材は、この励起された分子が基底状態に戻る際に発光する。すなわち、励起される分子の数が多いほど、残光時間が長くなる。多くの分子を励起させるためには、紫外線を長時間照射するか、もしくは、照射する紫外線の強度を上げればよい。すなわち、光の照射時間と照射強度によって、残光時間を制御することができる。なお、本実施の形態では、紫外線ＬＥＤ２６が放射する光を残量マーカ７０に照射するものとして説明するが、紫外線ＬＥＤ２６の代わりに、紫外線を放射する電灯であるブラックライトを用いてもよい。
【００４８】
なお、残量マーカ７０の形態は、図７に示す形態に限定されるものではない。図８は、残量マーカ７０の別の形態の例を示す図である。図８（ａ）に示すように、ロール紙４０の表面Ｓにおいて、ロール紙４０の搬送方向に沿う辺縁部に、長さＬ、幅Ｗの実線の形態で蓄光材を含むインクを塗布して、残量マーカ７０ａとしてもよい。このような形態の残量マーカ７０ａを設けることによって、ロール紙４０に印字された印字情報と、発光する残量マーカ７０ａとが重複しないため、キャッシャは、残量マーカ７０ａの確認と、印字情報が印字されていることの確認とをともに確実に行うことができる。
【００４９】
また、図８（ｂ）に示すように、ロール紙４０の表面Ｓに、長さＬに亘って「用紙を補充して下さい」等の文字情報を、蓄光材を含むインクで塗布して、残量マーカ７０ｂとしてもよい。このように、残量マーカ７０ｂを文字情報で形成することによって、経験の浅いキャッシャであっても、ロール紙４０の補充が必要であることを確実に認識することができる。
【００５０】
キャッシャは、レシートプリンタ２０が排紙したレシート４２のキャッシャの側を向く面である表面Ｓにおいて、残量マーカ７０が光っていることを視認する。これによって、キャッシャは、ロール紙４０の残量が少ないことを認識する。そして、キャッシャは、補充用のロール紙４０を準備して、顧客の決済処理が完了した後で、レシートプリンタ２０に新しいロール紙４０を補充する。なお、残量マーカ７０の残光時間は所定時間以内であるため、排紙されたレシート４２が顧客に手渡された際には、残量マーカ７０は発光しておらず、顧客は残量マーカ７０を視認できない状態となっている。
【００５１】
（レシートプリンタが行う処理の流れの説明）
次に、レシートプリンタ２０が行う処理の流れについて、図９，図１０を用いて説明する。図９は、レシートプリンタ２０が、レシート４２を印字して発行する際に行う処理の流れの一例を示すフローチャートである。図１０は、紫外線ＬＥＤ２６の点灯制御の流れの一例を示すフローチャートである。
【００５２】
まず、図９のフローチャートについて説明する。受信部６０は、ＰＯＳ端末１０から印字情報を受信したかを判定する（ステップＳ１０）。印字情報を受信したと判定される（ステップＳ１０：Ｙｅｓ）と、ステップＳ１２に進み、印字情報を受信したと判定されない（ステップＳ１０：Ｎｏ）と、タイムアウトになるまでステップＳ１０を繰り返す。
【００５３】
続くステップＳ１２では、搬送制御部６２がプラテンローラ２４を回転させる。これにより、ロール紙４０は搬送方向Ｐ（図４参照）の向きに搬送される。
【００５４】
次に、紫外線ＬＥＤ点灯制御部６６は、紫外線ＬＥＤ２６の点灯制御を行う（ステップＳ１４）。なお、紫外線ＬＥＤ２６の点灯制御の詳細については後述する。
【００５５】
次に、印字制御部６４は、ロール紙４０に対して印字を実行する（ステップＳ１６）。
【００５６】
さらに、印字制御部６４は、印字が完了したかを判定する（ステップＳ１８）。印字が完了したと判定される（ステップＳ１８：Ｙｅｓ）と、ステップＳ２０に進む。一方、印字が完了したと判定されない（ステップＳ１８：Ｎｏ）と、ステップＳ２２に進む。
【００５７】
ステップＳ２０では、搬送制御部６２が、印字が完了したロール紙４０を所定量だけレシート発行口２２に向けて搬送させる。なお、ロール紙４０を搬送させる所定量は、例えば、レシート発行口２２から排紙されたロール紙４０をカッタ２８でカットした際に、カットされたレシート４２の中に、印字情報が漏れなく表示された状態となる量である。ここで、図９のフローチャートには記載しないが、ステップＳ２０において、ロール紙４０を所定量だけ搬送した後で、搬送制御部６２が、カッタ２８の動きを制御することによって、ロール紙４０をカットしてもよい。ステップＳ２０に続いて、紫外線ＬＥＤを消灯して（ステップＳ２１）、レシートプリンタ２０は、図９の一連の処理を終了する。
【００５８】
ステップＳ１８において、印字が完了したと判定されない（ステップＳ１８：Ｎｏ）と、開閉検出部６８は、レシートプリンタ２０の上部ケース５２が開いているかを判定する（ステップＳ２２）。上部ケース５２が開いていると判定される（ステップＳ２２：Ｙｅｓ）と、ステップＳ２４に進む。一方、上部ケース５２が開いていると判定されない（ステップＳ２２：Ｎｏ）と、ステップＳ１８に戻る。
【００５９】
ステップＳ２２：Ｙｅｓに続くステップＳ２４では、搬送制御部６２が、プラテンローラ２４の回転を停止させる。
【００６０】
そして、ステップＳ２６において、印字制御部６４は、サーマルヘッド２３に対して印字を停止させる。
【００６１】
さらに、ステップＳ２８において、紫外線ＬＥＤ点灯制御部６６は、紫外線ＬＥＤ２６を消灯させる。
【００６２】
続いて、開閉検出部６８は、レシートプリンタ２０の上部ケース５２が閉じたかを判定する（ステップＳ３０）。上部ケース５２が閉じたと判定される（ステップＳ３０：Ｙｅｓ）と、ステップＳ１２に戻る。一方、上部ケース５２が閉じたと判定されない（ステップＳ３０：Ｎｏ）と、ステップＳ３０の判定を繰り返す。
【００６３】
次に、紫外線ＬＥＤ点灯制御部６６が行う紫外線ＬＥＤ２６の点灯制御の流れについて、図１０のフローチャートを用いて説明する。図１０に示すように、まず、紫外線ＬＥＤ点灯制御部６６は、メモリ部３４から、紫外線ＬＥＤ２６の駆動条件を読み出す（ステップＳ４０）。
【００６４】
続いて、紫外線ＬＥＤ点灯制御部６６は、メモリ部３４から読み出した駆動条件に基づいて、紫外線ＬＥＤ２６を点灯する（ステップＳ４２）。
【００６５】
さらに、紫外線ＬＥＤ点灯制御部６６は、ＬＥＤドライバ２５に流れる電流値を計測することによって、紫外線ＬＥＤ２６に流れる電流値をモニタする（ステップＳ４４）。
【００６６】
そして、紫外線ＬＥＤ点灯制御部６６は、紫外線ＬＥＤ２６に流れる電流を一定に保つように、ＬＥＤドライバ２５に流れる電流値を制御する定電流制御を行う（ステップＳ４６）。その後、図９のステップＳ１６に戻る（ステップＳ４８）。なお、ステップＳ４６で行う定電流制御は、紫外線ＬＥＤ２６が消灯するまでの間は、連続して実行される。
【００６７】
（第１の実施の形態の変形例の説明）
第１の実施の形態で、残量マーカ７０，７０ａ，７０ｂについて説明した。これらの残量マーカ７０，７０ａ，７０ｂは、ロール紙４０の残量が少ないことを示すマーカであって、残量がどの位あるかを示すマーカではない。これに対して、ロール紙４０の残量がどの位あるかを示す残量マーカを形成してもよい。
【００６８】
図１１は、ロール紙４０の残量を示す残量マーカ７０ｃの一例を示す図である。残量マーカ７０ｃは、残量マーカ７０（図７参照）と同じ形態で、ロール紙４０の終端４０ａ側の所定の領域（長さＬ、幅Ｗ）に塗布されている。そして、残量マーカ７０ｃに塗布される蓄光材の量は、図１１に示すように、終端４０ａに近い位置ほど多く塗布される。すなわち、残量マーカ７０ｃは、終端４０ａ側の端部において、蓄光材を量ｐ１だけ含む。そして、残量マーカ７０ｃは、先端４０ｂ側の端部において、蓄光材を量ｐ０（ｐ１＞ｐ０）だけ含む。なお、蓄光材の量とは、例えば、インクが含む蓄光材の濃度である。すなわち、残量マーカ７０ｃは、ロール紙４０の終端４０ａに近い位置ほど、高い濃度のインクを塗布することによって形成される。
【００６９】
このようにして形成された残量マーカ７０ｃは、同じ時間だけ紫外線ＬＥＤ２６を照射した場合、ロール紙４０の終端４０ａに近い位置ほど多くの分子が励起されるため、より明るく発光する。したがって、キャッシャは、蓄光材が発する残光の明るさによって、ロール紙４０の残量がどの位あるかを認識することができる。
【００７０】
以上説明したように、第１の実施の形態のロール紙４０（ロール状用紙）は、長尺の用紙がロール状に巻回されて、ロール紙４０の終端４０ａから、当該終端４０ａに至る所定の長さＬの領域に、蓄光材を含む媒体で形成された残量マーカ７０（マーカ）を有する。したがって、ロール紙４０の残量が少ないことを、レシートの印字操作を行うキャッシャに報知することが可能なロール紙４０を提供することができる。
【００７１】
また、第１の実施の形態の変形例によれば、ロール紙４０が有する残量マーカ７０は、ロール紙４０の終端４０ａからの距離に応じて、濃度の異なる蓄光材で形成される。したがって、蓄光材が発する残光の明るさによって、ロール紙４０のおおよその残量を認識することができる。これにより、ロール紙４０が完全になくなる前に、新しいロール紙４０を準備することができる。
【００７２】
また、第１の実施の形態のレシートプリンタ２０（印字装置）によれば、プラテンローラ２４（搬送手段）がロール紙４０の先端４０ｂを上流側から下流側に搬送しながら、サーマルヘッド２３（印字手段）が、プラテンローラ２４によって搬送されたロール紙４０に印字を行う。そして、紫外線ＬＥＤ２６（光照射手段）が、ロール紙４０（ロール状用紙）の残量が所定量以下であることを示す、蓄光材を含むインク（媒体）で形成された残量マーカ７０（マーカ）に光（紫外線）を照射して、レシート発行口２２（排紙手段）からレシート４２として排紙する。したがって、レシート４２の印字操作を行うキャッシャに対して、ロール紙４０の残量が少ないことを確実に報知することができる。
【００７３】
そして、第１の実施の形態のレシートプリンタ２０によれば、紫外線ＬＥＤ２６（光照射手段）は、蓄光材の残光時間が所定時間以内となるように、残量マーカ７０に照射する光量を調整する。したがって、レシートプリンタ２０によって印字されたレシートが、レシートプリンタ２０から排紙された直後のみ、残量マーカ７０は残光を発する。そのため、レシートプリンタ２０の操作を行うキャッシャのみが、ロール紙４０の残量マーカ７０を視認することができる。
【００７４】
また、第１の実施の形態のレシートプリンタ２０によれば、レシート発行口２２（排紙手段）は、ロール紙４０を、残量マーカ７０が形成された面がレシートプリンタ２０を操作するキャッシャの側を向くように排紙する。したがって、キャッシャは、ロール紙４０に対して特別な姿勢をとることなく、ロール紙４０の残量マーカ７０を視認することができる。
【００７５】
また、第１の実施の形態のレシートプリンタ２０によれば、紫外線ＬＥＤ２６は、当該紫外線ＬＥＤ２６に流れる電流を一定に保つことによって、照射する光量を一定に保つＬＥＤドライバ２５（光量調整手段）を更に備える。したがって、紫外線ＬＥＤ２６が劣化した場合であっても、残量マーカ７０を所定時間だけ確実に発光させることができる。
【００７６】
（第２の実施の形態）
次に、第２の実施の形態である決済装置について説明する。第２の実施の形態の決済装置２ａ（不図示）は、第１の実施の形態で説明したＰＯＳ端末１０と、レシートプリンタ２０ａとを備える。決済装置２ａは、レシートプリンタ２０ａが、ロール紙４０の残量が所定量以下であることを検出した際に、検出結果をＰＯＳ端末１０において報知する。
【００７７】
（レシートプリンタのハードウェア構成の説明）
決済装置２ａの構成要素であるレシートプリンタ２０ａのハードウェア構成について、図１２を用いて説明する。図１２は、レシートプリンタ２０ａのハードウェア構成の一例を示すハードウェアブロック図である。
【００７８】
レシートプリンタ２０ａは、図１２に示すように、制御部３０ａと、メモリ部３４ａとを備える。制御部３０ａは、レシートプリンタ２０ａの全体の動作を制御し、レシートプリンタ２０ａが有する各種の機能を実現するコンピュータである。制御部３０ａは、ＣＰＵ３１と、ＲＯＭ３２と、ＲＡＭ３３とを備える。ＣＰＵ３１は、レシートプリンタ２０ａの動作を統括的に制御する。ＲＯＭ３２は、各種プログラムやデータを記憶する記憶媒体である。ＲＡＭ３３は、各種プログラムを一時的に記憶したり、各種データを書き換えたりする記憶媒体である。そして、ＣＰＵ３１は、ＲＡＭ３３をワークエリアとして、メモリ部３４ａに格納された制御プログラムＰ３を実行する。すなわち、制御部３０ａは、一般的なコンピュータの構成を有する。
【００７９】
メモリ部３４ａは、ＨＤＤ（Hard  Disk  Drive）やＳＳＤ（Solid  State  Drive）等の記憶装置である。メモリ部３４ａは、制御プログラムＰ３等を記憶する。制御プログラムＰ３は、レシートプリンタ２０ａが備えている機能を発揮させるためのプログラムである。制御プログラムＰ３には、本実施の形態に係る特徴的な機能を実現させるプログラムが含まれる。
【００８０】
制御部３０ａは、内部バス３５を介して、コントローラ３６ａと接続している。そして、コントローラ３６ａには、サーマルヘッド２３と、プラテンローラ２４とが接続される。さらに、コントローラ３６ａには、ＬＥＤドライバ２５を介してＬＥＤ２６ａが接続されるとともに、受光センサ２９が接続される。
【００８１】
ＬＥＤ２６ａは、特定の波長の光を放射するＬＥＤであり、光照射手段の一例である。なお、第１の実施の形態では紫外線ＬＥＤ２６を使用したが、第２の実施の形態で使用するＬＥＤ２６ａは、紫外線を放射するＬＥＤに限定されるものではなく、可視光を放射するＬＥＤであってもよい。また、受光センサ２９は、ＬＥＤ２６ａが放射した光が、ロール紙４０の表面Ｓで反射した際に生じる反射光の量を検出するセンサである。受光センサ２９は、例えば、フォトダイオードで構成される。
【００８２】
また、コントローラ３６ａは、ＵＳＢインタフェース２７を介して、ＰＯＳ端末１０と接続される。なお、図１２には図示しないが、コントローラ３６ａには、さらに、レシートプリンタ２０ａの上部ケース５２が開いた状態にあることを検出するセンサ（例えば通電センサ）が接続されている。
【００８３】
（レシートプリンタの機能構成の説明）
次に、図１３を用いて、レシートプリンタ２０ａが備える特徴的な機能構成について説明する。図１３は、レシートプリンタ２０ａの機能構成の一例を示す機能ブロック図である。
【００８４】
レシートプリンタ２０ａの制御部３０ａは、メモリ部３４ａが記憶している制御プログラムＰ３をＲＡＭ３３に展開し、制御プログラムＰ３に従って動作することで、図１３に示す各機能部を、ＲＡＭ３３上に生成する。具体的には、制御部３０ａは、送受信部６１と、搬送制御部６２と、印字制御部６４と、ＬＥＤ点灯制御部６６ａと、残量マーカ検出部６７と、開閉検出部６８とを機能部として実現する。
【００８５】
送受信部６１は、ＰＯＳ端末１０から印字情報を受信する。また、送受信部６１は、ロール紙４０の残量が所定量以下であることを、ＰＯＳ端末１０に送信する。
【００８６】
ＬＥＤ点灯制御部６６ａは、ＬＥＤ２６ａの点灯状態を制御する。具体的には、ＬＥＤ点灯制御部６６ａは、ＬＥＤ２６ａの点灯および消灯を制御する。
【００８７】
残量マーカ検出部６７は、ロール紙４０の表面Ｓに形成された残量マーカ７０ｄ（図１４参照）を検出する。具体的には、残量マーカ検出部６７は、受光センサ２９が検出した反射光の量に基づいて、残量マーカ７０ｄを検出する。
【００８８】
なお、搬送制御部６２と、印字制御部６４と、開閉検出部６８の機能は、第１の実施の形態で説明した通りである。
【００８９】
（ロール紙の残量検出方法の説明）
次に、図１４，図１５を用いて、ロール紙４０の残量を検出する方法について説明する。図１４は、レシートプリンタ２０ａが残量マーカ７０ｄを検出する方法について説明する第１の図であり、残量マーカ７０ｄを検出していない状態を示す図である。図１５は、レシートプリンタ２０ａが残量マーカ７０ｄを検出する方法について説明する第２の図であり、残量マーカ７０ｄを検出している状態を示す図である。
【００９０】
図１４（ａ）は、レシートプリンタ２０ａにおける、ロール紙４０の搬送方向Ｐに沿うＹＺ断面図である。また、図１４（ｂ）は、図１４（ａ）の斜視図である。図１４（ａ），図１４（ｂ）に示すように、印字後のロール紙４０の表面Ｓには、Ｚ軸正側から、ＬＥＤ２６ａの照射光Ａ１が照射される。照射光Ａ１はロール紙４０の表面Ｓで反射して、反射光Ａ２は、受光センサ２９に到達する。
【００９１】
なお、ロール紙４０の表面Ｓには、ロール紙４０の残量が所定量以下であることを示す残量マーカ７０ｄが形成されている。残量マーカ７０ｄは、例えば、略透明なインクや略透明なシートであり、第１の波長の光が照射された場合に、第２の波長の光を反射する特定を備える。なお、第１の波長と第２の波長とは同じ波長であってもよいし、異なる波長であってもよい。
【００９２】
受光センサ２９は、第２の波長の光を受光した場合に大きい出力信号を出力するセンサである。
【００９３】
残量マーカ７０ｄは、具体的には、近赤外光を選択的に反射する透明シートや、入射した光を入射した方向に再帰反射する再帰反射性塗料や、ブラックライトを受けて発光する蛍光塗料等を利用する。そして、ＬＥＤ２６ａは、残量マーカ７０ｄが高い反射率を有する波長の光を放射するものを用いる。また、残量マーカ７０ｄは、第１の実施の形態で説明した残量マーカ７０，７０ａ，７０ｂ，７０ｃのように、残光性を備える必要はなく、少なくとも、ＬＥＤ２６ａから出射した光が照射した際に、照射された光に応じた波長の反射光を生じればよい。
【００９４】
図１４（ａ），図１４（ｂ）の状態にある場合、ＬＥＤ２６ａの照射光Ａ１は、ロール紙４０の表面Ｓのうち、残量マーカ７０ｄが形成されていない領域に照射される。したがって、受光センサ２９に到達する反射光Ａ２の強度は予め設定した閾値よりも小さくなる。
【００９５】
一方、図１５（ａ），図１５（ｂ）の状態にある場合、ＬＥＤ２６ａの照射光Ａ１は、ロール紙４０の表面Ｓのうち、残量マーカ７０ｄが形成されている領域に照射される。したがって、受光センサ２９に到達する反射光Ａ３の強度は予め設定した閾値よりも大きくなる。
【００９６】
受光センサ２９に到達する反射光Ａ３の強度が予め設定した閾値よりも大きくなった場合、送受信部６１（図１３参照）は、ロール紙４０の残量が少なくなったことを示す情報を、ＰＯＳ端末１０に送信する。
【００９７】
ＰＯＳ端末１０は、送受信部６１から、ロール紙４０の残量が少なくなったことを示す情報を受信した場合、キャッシャ用表示部１２に、ロール紙４０の残量が少なくなったことを表示する。キャッシャは、当該情報を認識した際に、新しいロール紙４０を準備して、決済処理が終了したタイミングでロール紙４０の補充（交換）を行う。
【００９８】
なお、前記した反射光Ａ３を可視光となるように設定することによって、キャッシャが、ロール紙４０の残量マーカ７０ｄが光っていることを確認した場合に、ロール紙４０の残量が少ないことを認識させるようにしてもよい。具体的には、例えば、レシートプリンタ２０ａの上部ケース５２のうち、レシート発行口の近傍に覗き窓（不図示）を形成して、キャッシャが、レシートプリンタ２０ａの外部から、当該覗き窓を通して、反射光Ａ３を視認できる構成にしてもよい。
【００９９】
（レシートプリンタが行う処理の流れの説明）
次に、レシートプリンタ２０ａが行う処理の流れについて、図１６を用いて説明する。図１６は、レシートプリンタ２０ａが、レシート４２を印字して発行する際に行う処理の流れの一例を示すフローチャートである。
【０１００】
送受信部６１が、ＰＯＳ端末１０から印字情報を受信したかを判定して（ステップＳ６０）、印字情報を受信したと判定された場合（ステップＳ６０：Ｙｅｓ）に、搬送制御部６２はプラテンローラ２４を回転させる（ステップＳ６２）。一方、印字情報を受信したと判定されない場合（ステップＳ６０：Ｎｏ）には、ステップＳ６０を繰り返す。
【０１０１】
ステップＳ６２に続いて、ＬＥＤ点灯制御部６６ａは、ＬＥＤ２６ａを点灯させる（ステップＳ６４）。続いて、印字制御部６４は、ロール紙４０に対して印字を実行する（ステップＳ６６）。
【０１０２】
残量マーカ検出部６７は、受光センサ２９の出力が閾値以上であるかを判定する（ステップＳ６８）。受光センサ２９の出力が閾値以上であると判定される（ステップＳ６８：Ｙｅｓ）と、ステップＳ７０に進み、ＰＯＳ端末１０に対して、ロール紙４０の残量が少ないことを通知する。その後、ステップＳ７２に進む。
【０１０３】
一方、受光センサ２９の出力が閾値以上であると判定されない（ステップＳ６８：Ｎｏ）と、ステップＳ７２に進む。
【０１０４】
ステップＳ７２以降の流れは、図９で説明したステップＳ１８以降の流れと同じであるため、説明は省略する。
【０１０５】
以上、本発明の実施の形態を説明したが、これらの実施の形態は、いずれも例示であり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【０１０６】
例えば、前記した実施の形態では、サーマルヘッド２３が印字を行った後で紫外線ＬＥＤ２６およびＬＥＤ２６ａがロール紙４０に光を照射するものとして説明したが、これは、紫外線ＬＥＤ２６およびＬＥＤ２６ａを、サーマルヘッド２３よりも上流側（図４のＹ軸正側）に設置して、サーマルヘッド２３が印字を行う前に、光の照射を行うようにしてもよい。
【０１０７】
また、レシートプリンタ２０が有する制御部３０（図５参照）は、決済装置２の制御部３（図２参照）の中に組み込んで実現してもよい。
【０１０８】
また、第１の実施の形態において、残量マーカ７０の発する残光を受光センサで検知して、所定値を超える反射光量が検出された場合に報知を行う構成としてもよい。
【符号の説明】
【０１０９】
２，２ａ    決済装置
１０    ＰＯＳ端末
２０，２０ａ    レシートプリンタ（印字装置）
２２    レシート発行口（排紙手段）
２３    サーマルヘッド（印字手段）
２４    プラテンローラ（搬送手段）
２５    ＬＥＤドライバ（光量調整手段）
２６    紫外線ＬＥＤ（光照射手段）
２６ａ    ＬＥＤ
４０    ロール紙（ロール状用紙）
４０ａ    終端
４０ｂ    先端
４２    レシート
７０，７０ａ，７０ｂ，７０ｃ，７０ｄ    残量マーカ（マーカ）
【先行技術文献】
【特許文献】
【０１１０】
【特許文献１】特開２００１−９７６２１号公報
【図１】
2019077963.tif 000003
【図２】
2019077963.tif 000004
【図３】
2019077963.tif 000005
【図４】
2019077963.tif 000006
【図５】
2019077963.tif 000007
【図６】
2019077963.tif 000008
【図７】
2019077963.tif 000009
【図８】
2019077963.tif 000010
【図９】
2019077963.tif 000011
【図１０】
2019077963.tif 000012
【図１１】
2019077963.tif 000013
【図１２】
2019077963.tif 000014
【図１３】
2019077963.tif 000015
【図１４】
2019077963.tif 000016
【図１５】
2019077963.tif 000017
【図１６】
2019077963.tif 000018